(57)【要約】【課題】外国において提供される、ホームネットワークと同等のネットワークにおけるサービスを得ることを可能にする方法を提供する。【解決手段】一つのスキームは、外国において同等のホームネットワークを探し出すように動作可能であるユーザ装備装置によって、ネットワーク選択における規制順守を提供するために開示される。ネットワークノードからネットワーク識別コードを受信する上で、ネットワーク識別コードによって識別されるネットワークが、ＵＥ装置と関連する加入者識別に関する同等のホームネットワークであるかどうかの決定（４０４）がなされる。そうである場合、ネットワークスキャンは、加入者識別に関連するホームの国に特定されたスキャン手順に従って、ＵＥ装置によって実行される（４０８）。【選択図】図４
2006197603.tif 000002
【特許請求の範囲】
【請求項１】
ネットワーク選択方法であって、該方法は、
ローカルエリアにおいてユーザ装備（ＵＥ）装置（１０２）によって、ネットワークノード（５０４）からネットワーク識別コードを受信すること（４０２）と、
該ネットワーク識別コードによって識別されたネットワークが、該ＵＥ装置（１０２）と関連する加入者識別に関する同等のホームネットワークであるかどうかを決定すること（４０４）と、
該決定すること（４０４）に応じて、該同等のホームネットワークに関連する地理的コードの部分が該加入者識別に関連するホームの国における地理的領域を識別する場合には、該加入者識別に関連する該ホームの国に特定されたスキャン手順に従って、該ＵＥ装置（１０２）によって、ネットワークスキャンを実行すること（４０８）と、
さもなければ、該ネットワーク識別コードにおいて識別された外国の地理的領域に特定されたスキャン手順に従って、該ＵＥ装置（１０２）によって、ネットワークスキャンを実行すること（４１４）と
を包含する、ネットワーク選択方法。
【請求項２】
前記ネットワーク識別コードが、汎用パケット無線システム（ＧＰＲＳ）ネットワーク、グローバル移動体通信システム（ＧＳＭ）進化型高速データレート展開（ＥＤＧＥ）ネットワーク、第三世代パートナーシッププロジェクト（３ＧＰＰ）規格ネットワーク、Ｉｎｔｅｇｒａｔｅｄ  Ｄｉｇｉｔａｌ  Ｅｎｈａｎｃｅｄ  Ｎｅｔｗｏｒｋ（ＩＤＥＮ）、符号分割多元接続（ＣＤＭＡ）ネットワーク、ユニバーサル移動体通信システム（ＵＭＴＳ）ネットワーク、および時分割多重アクセス方式（ＴＤＭＡ）ネットワークからなる群から選択されたパブリック陸上移動通信網（ＰＬＭＮ）を備えるネットワークを識別する、請求項１に記載のネットワーク選択方法。
【請求項３】
前記ネットワーク識別コードが、モバイル国コード（ＭＣＣ）およびモバイルネットワークコード（ＭＮＣ）の組み合わせを備え、該ＭＣＣが前記ネットワークノード（５０４）の地理的位置に依存する、請求項１に記載のネットワーク選択方法。
【請求項４】
前記方法は、
前記外国の地理的領域に特定された前記スキャン手順が、前記ＵＥ装置（１０２）と前記ネットワークノード（５０４）との間の接続を首尾良く接続しないかどうかを決定すること（４１６）と、
首尾良く接続しない場合、前記ホームの国に特定された該スキャン手順に従って、該ＵＥ装置（１０２）によって、ネットワークスキャンを実行すること（４０８）と
をさらに包含する、請求項１、２、または３に記載のネットワーク選択方法。
【請求項５】
前記加入者識別が、国際移動電話加入者識別番号（ＩＭＳＩ）パラメータを備える、請求項１に記載のネットワーク選択方法。
【請求項６】
前記ＵＥ装置（１０２）による前記受信が、該ＵＥ装置（１０２）がアイドルモードである場合に達成される、請求項１、２、３、４、または５に記載のネットワーク選択方法。
【請求項７】
ユーザ装備（ＵＥ）装置（６００）であって、該装置は、
ローカルエリアにおけるパブリック陸上移動通信網（ＰＬＭＮ）のネットワークノード（５０４）からネットワーク識別コードを受信するために動作可能であるトランシーバモジュール（６０６）を含む通信サブシステム（６０４）と、
ネットワーク識別コードによって識別されたネットワークが、該ＵＥ装置（６００）と関連する加入者識別に関する同等のホームネットワークであるかどうかを決定するように動作可能であるロジックモジュール（６４０）と、
該決定することに応じて動作可能であり、該同等のホームネットワークに関連する地理的コードの部分が該加入者識別に関連するホームの国における地理的領域を識別する場合、該加入者識別に関連する該ホームの国に特定されたスキャン手順に従って、ネットワークスキャンを実行する（４０８）ための手段と、
該同等のホームネットワークに関連する該地理的コードの部分が、該ホームの国における地理的領域を識別しない場合、該ネットワーク識別コードにおいて識別された外国の地理的領域に特定されたスキャン手順に従って、ネットワークスキャンを実行する（４１４）ための手段と
を備える、ユーザ装備（ＵＥ）装置（６００）。
【請求項８】
前記ネットワーク識別コードが、汎用パケット無線システム（ＧＰＲＳ）ネットワーク、グローバル移動体通信システム（ＧＳＭ）進化型高速データレート展開（ＥＤＧＥ）ネットワーク、第三世代パートナーシッププロジェクト（３ＧＰＰ）規格ネットワーク、Ｉｎｔｅｇｒａｔｅｄ  Ｄｉｇｉｔａｌ  Ｅｎｈａｎｃｅｄ  Ｎｅｔｗｏｒｋ（ＩＤＥＮ）、符号分割多元接続（ＣＤＭＡ）ネットワーク、ユニバーサル移動体通信システム（ＵＭＴＳ）ネットワーク、および時分割多重アクセス方式（ＴＤＭＡ）ネットワークからなる群から選択されたパブリック陸上移動通信網（ＰＬＭＮ）を備えるネットワークを識別する、請求項７に記載のＵＥ装置（６００）。
【請求項９】
前記ネットワーク識別コードが、モバイル国コード（ＭＣＣ）およびモバイルネットワークコード（ＭＮＣ）の組み合わせを備え、該ＭＣＣが前記位置領域の地理的位置に依存する、請求項７に記載のＵＥ装置。
【請求項１０】
前記装置は、
前記外国の地理的領域に特定された前記スキャン手順が、前記ＵＥ装置（６００）と前記ネットワークノード（５０４）との間の接続を首尾良く接続しないかどうかを決定する（４１６）ための手段と、
該決定することに応じて動作可能であり、前記ホームの国に特定された該スキャン手順に従って、該ＵＥ装置（６００）によって、ネットワークスキャンを実行する（４０８）ように立ち戻るための手段と
をさらに備える、請求項７、８、または９に記載のＵＥ装置（６００）。
【請求項１１】
前記加入者識別が、国際移動電話加入者識別番号（ＩＭＳＩ）パラメータを備える、請求項７に記載のＵＥ装置（６００）。
【請求項１２】
前記トランシーバモジュール（６０６）が、前記ＵＥ装置（６００）がアイドルモードである場合に、前記ネットワーク識別コードを受信するために動作可能である、請求項７、８、９、１０、または１１に記載のＵＥ装置（６００）。
【請求項１３】
前記通信サブシステム（６０４）が、無線アクセスネットワークスキャンプロセスに適合する周波数帯域においてスキャンするために動作可能である、トランシーバモジュール（６０８）をさらに備え、
さらに、前記ネットワーク識別コードが、ＩＥＥＥ  ８０２．１１ｂ規格、ＩＥＥＥ  ８０２．１１ａ規格、ＩＥＥＥ  ８０２．１１ｇ規格、ＨｉｐｅｒＬａｎ規格、  ＨｉｐｅｒＬａｎ  ＩＩ規格、Ｗｉ−Ｍａｘ規格、ＯｐｅｎＡｉｒ規格、および、Ｂｌｕｅｔｏｏｔｈ規格からなる群から選択されたＷｉｒｅｌｅｓｓ  Ｌｏｃａｌ  Ａｒｅａ  Ｎｅｔｗｏｒｋ（ＷＬＡＮ）規格を用いて動作可能である無線アクセスネットワークを備えるネットワークを識別する、請求項１２に記載のＵＥ装置（６００）。
【発明の詳細な説明】
【技術分野】
【０００１】
本発明の開示は、一般に通信ネットワークに関する。より詳細には、任意の限定をすることなく、本特許出願は、外国においてネットワーク選択を行う場合における規制順守を提供するためのスキームに関する。
【背景技術】
【０００２】
第三世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）仕様などの無線電信規格は、無線ユーザ装備（ＵＥ）装置のための、二つのネットワークスキャン機能を定義しており、その装置が母国に位置するかそうでないかに依存する。これらの機能は、３ＧＰＰ  Ｔｅｃｈｎｉｃａｌ  Ｓｐｅｃｉｆｉｃａｔｉｏｎ（ＴＳ）２３．１２２  Ｎｏｎ−Ａｃｃｅｓｓ  Ｓｔｒａｔｕｍ  （ＮＡＳ）  Ｆｕｎｃｔｉｏｎ  Ｒｅｌａｔｅｄ  ｔｏ  Ｍｏｂｉｌｅ  Ｓｔａｔｉｏｎ  （ＭＳ）  ｉｎ  Ｉｄｌｅ  Ｍｏｄｅにおいて説明され、ここにおいて援用される。現在、開発されている追加的機能は、オペレータに、ＵＥ装置と関連する、ホームネットワークと同等に、多数のネットワークを定義させる。しかしながら、規制上および手続き上の順守などの問題が生じる。そこで、ＵＥ装置は、外国において提供される同等のネットワークにおけるサービスを得るよう企てる。
【発明の開示】
【課題を解決するための手段】
【０００３】
一実施形態において、スキームは、外国において同等のホームネットワークを探し出すように動作可能である無線ＵＥ装置によって、ネットワーク選択における規制順守を提供するために開示される。ネットワークノードからネットワーク識別コードを受信する上で、ネットワーク識別コードによって識別されるネットワークが、ＵＥ装置と関連する加入者識別に関する同等のホームネットワークであるかどうかの決定がなされる。そうである場合、ネットワーク国コードの地理的コードの部分が加入者識別のホームの国における地理的領域を識別する場合に、ネットワークスキャンは、加入者識別に関連するホームの国に特定されたスキャン手順に従って、ＵＥ装置によって実行される。さもなければ、ネットワークスキャンは、ネットワーク識別コードにおいて識別された外国の地理的領域に特定されたスキャン手順にしたがったＵＥ装置によって実行される。
【０００４】
一局面において、ＵＥ装置は、ローカルエリアにおけるパブリック陸上移動通信網（ＰＬＭＮ：Ｐｕｂｌｉｃ  Ｌａｎｄ  Ｍｏｂｉｌｅ  Ｎｅｔｗｏｒｋ）のネットワークノードからネットワーク識別コードを受信するために動作可能であるトランシーバモジュールを含む通信サブシステムと、ネットワーク識別コードによって識別されたネットワークが、ＵＥ装置と関連する加入者識別に関する同等のホームネットワークであるかどうかを決定するように動作可能であるロジックモジュールと、上記の決定に応じて動作可能であり、同等のホームネットワークに関連する地理的コードの部分が加入者識別に関連するホームの国における地理的領域を識別する場合、加入者識別に関連するホームの国に特定されたスキャン手順に従って、ネットワークスキャンを実行するためのモジュールと、同等のホームネットワークに関連する地理的コードの部分が、ホームの国における地理的領域を識別しない場合、ネットワーク識別コードにおいて識別された外国の地理的領域に特定されたスキャン手順に従って、ネットワークスキャンを実行するためのモジュールと、を含み、開示される。
【０００５】
さらなる局面において、ネットワーク選択方法は、ローカルエリアにおいて、ＵＥ装置によって、ネットワークノードからネットワーク識別コードを受信することと、ネットワーク識別コードがＵＥ装置と関連する加入者識別に関する同等のホームネットワークであるかどうかを決定することと、上記の決定に応じて、同等のホームネットワークに関連する地理的コードの部分が加入者識別に関連するホームの国における地理的領域を識別する場合、加入者識別に関連するホームの国に特定されたスキャン手順に従って、ＵＥ装置によって、ネットワークスキャンを実行することと、さもなければ、ネットワーク識別コードにおいて識別された外国の地理的領域に特定されたスキャン手順に従って、ＵＥ装置によって、ネットワークスキャンを実行することと、を含み、開示される。
【０００６】
本発明は、さらに以下の手段を提供する。
【０００７】
（項目１）  
ネットワーク選択方法であって、該方法は、
ローカルエリアにおいてユーザ装備（ＵＥ）装置（１０２）によって、ネットワークノード（５０４）からネットワーク識別コードを受信すること（４０２）と、
該ネットワーク識別コードによって識別されたネットワークが、該ＵＥ装置（１０２）と関連する加入者識別に関する同等のホームネットワークであるかどうかを決定すること（４０４）と、
該決定すること（４０４）に応じて、該同等のホームネットワークに関連する地理的コードの部分が該加入者識別に関連するホームの国における地理的領域を識別する場合には、該加入者識別に関連する該ホームの国に特定されたスキャン手順に従って、該ＵＥ装置（１０２）によって、ネットワークスキャンを実行すること（４０８）と、
さもなければ、該ネットワーク識別コードにおいて識別された外国の地理的領域に特定されたスキャン手順に従って、該ＵＥ装置（１０２）によって、ネットワークスキャンを実行すること（４１４）と
を包含する、ネットワーク選択方法。
【０００８】
（項目２）  
上記ネットワーク識別コードが、汎用パケット無線システム（ＧＰＲＳ）ネットワーク、グローバル移動体通信システム（ＧＳＭ）進化型高速データレート展開（ＥＤＧＥ）ネットワーク、第三世代パートナーシッププロジェクト（３ＧＰＰ）規格ネットワーク、Ｉｎｔｅｇｒａｔｅｄ  Ｄｉｇｉｔａｌ  Ｅｎｈａｎｃｅｄ  Ｎｅｔｗｏｒｋ（ＩＤＥＮ）、符号分割多元接続（ＣＤＭＡ）ネットワーク、ユニバーサル移動体通信システム（ＵＭＴＳ）ネットワーク、および時分割多重アクセス方式（ＴＤＭＡ）ネットワークからなる群から選択されたパブリック陸上移動通信網（ＰＬＭＮ）を備えるネットワークを識別する、項目１に記載のネットワーク選択方法。
【０００９】
（項目３）  
上記ネットワーク識別コードが、モバイル国コード（ＭＣＣ）およびモバイルネットワークコード（ＭＮＣ）の組み合わせを備え、該ＭＣＣが上記ネットワークノード（５０４）の地理的位置に依存する、項目１に記載のネットワーク選択方法。
【００１０】
（項目４）
上記方法は、
上記外国の地理的領域に特定された上記スキャン手順が、上記ＵＥ装置（１０２）と上記ネットワークノード（５０４）との間の接続を首尾良く接続しないかどうかを決定すること（４１６）と、
首尾良く接続しない場合、上記ホームの国に特定された該スキャン手順に従って、該ＵＥ装置（１０２）によって、ネットワークスキャンを実行すること（４０８）と
をさらに包含する、項目１、２、または３に記載のネットワーク選択方法。
【００１１】
（項目５）
上記加入者識別が、国際移動電話加入者識別番号（ＩＭＳＩ）パラメータを備える、項目１に記載のネットワーク選択方法。
【００１２】
（項目６）
上記ＵＥ装置（１０２）による上記受信が、該ＵＥ装置（１０２）がアイドルモードである場合に達成される、項目１、２、３、４、または５に記載のネットワーク選択方法。
【００１３】
（項目７）
ユーザ装備（ＵＥ）装置（６００）であって、該装置は、
ローカルエリアにおけるパブリック陸上移動通信網（ＰＬＭＮ）のネットワークノード（５０４）からネットワーク識別コードを受信するために動作可能であるトランシーバモジュール（６０６）を含む通信サブシステム（６０４）と、
ネットワーク識別コードによって識別されたネットワークが、該ＵＥ装置（６００）と関連する加入者識別に関する同等のホームネットワークであるかどうかを決定するように動作可能であるロジックモジュール（６４０）と、
該決定することに応じて動作可能であり、該同等のホームネットワークに関連する地理的コードの部分が該加入者識別に関連するホームの国における地理的領域を識別する場合、該加入者識別に関連する該ホームの国に特定されたスキャン手順に従って、ネットワークスキャンを実行する（４０８）ための手段と、
該同等のホームネットワークに関連する該地理的コードの部分が、該ホームの国における地理的領域を識別しない場合、該ネットワーク識別コードにおいて識別された外国の地理的領域に特定されたスキャン手順に従って、ネットワークスキャンを実行する（４１４）ための手段と
を備える、ユーザ装備（ＵＥ）装置（６００）。
【００１４】
（項目８）
上記ネットワーク識別コードが、汎用パケット無線システム（ＧＰＲＳ）ネットワーク、グローバル移動体通信システム（ＧＳＭ）進化型高速データレート展開（ＥＤＧＥ）ネットワーク、第三世代パートナーシッププロジェクト（３ＧＰＰ）規格ネットワーク、Ｉｎｔｅｇｒａｔｅｄ  Ｄｉｇｉｔａｌ  Ｅｎｈａｎｃｅｄ  Ｎｅｔｗｏｒｋ（ＩＤＥＮ）、符号分割多元接続（ＣＤＭＡ）ネットワーク、ユニバーサル移動体通信システム（ＵＭＴＳ）ネットワーク、および時分割多重アクセス方式（ＴＤＭＡ）ネットワークからなる群から選択されたパブリック陸上移動通信網（ＰＬＭＮ）を備えるネットワークを識別する、項目７に記載のＵＥ装置（６００）。
【００１５】
（項目９）
上記ネットワーク識別コードが、モバイル国コード（ＭＣＣ）およびモバイルネットワークコード（ＭＮＣ）の組み合わせを備え、該ＭＣＣが上記位置領域の地理的位置に依存する、項目７に記載のＵＥ装置。
【００１６】
（項目１０）
上記装置は、
上記外国の地理的領域に特定された上記スキャン手順が、上記ＵＥ装置（６００）と上記ネットワークノード（５０４）との間の接続を首尾良く接続しないかどうかを決定する（４１６）ための手段と、
該決定することに応じて動作可能であり、上記ホームの国に特定された該スキャン手順に従って、該ＵＥ装置（６００）によって、ネットワークスキャンを実行する（４０８）ように立ち戻る（ｒｅｖｅｒｔ）ための手段と
をさらに備える、項目７、８、または９に記載のＵＥ装置（６００）。
【００１７】
（項目１１）
上記加入者識別が、国際移動電話加入者識別番号（ＩＭＳＩ）パラメータを備える、項目７に記載のＵＥ装置（６００）。
【００１８】
（項目１２）
上記トランシーバモジュール（６０６）が、上記ＵＥ装置（６００）がアイドルモードである場合に、上記ネットワーク識別コードを受信するために動作可能である、項目７、８、９、１０、または１１に記載のＵＥ装置（６００）。
【００１９】
（項目１３）
上記通信サブシステム（６０４）が、無線アクセスネットワークスキャンプロセスに適合する周波数帯域においてスキャンするために動作可能である、トランシーバモジュール（６０８）をさらに備え、
さらに、上記ネットワーク識別コードが、ＩＥＥＥ  ８０２．１１ｂ規格、ＩＥＥＥ  ８０２．１１ａ規格、ＩＥＥＥ  ８０２．１１ｇ規格、ＨｉｐｅｒＬａｎ規格、  ＨｉｐｅｒＬａｎ  ＩＩ規格、Ｗｉ−Ｍａｘ規格、ＯｐｅｎＡｉｒ規格、および、Ｂｌｕｅｔｏｏｔｈ規格からなる群から選択されたＷｉｒｅｌｅｓｓ  Ｌｏｃａｌ  Ａｒｅａ  Ｎｅｔｗｏｒｋ（ＷＬＡＮ）規格を用いて動作可能である無線アクセスネットワークを備えるネットワークを識別する、項目１２に記載のＵＥ装置（６００）。
【００２０】
（摘要）
一実施形態において、スキームは、外国において同等のホームネットワークを探し出す（ｄｉｓｃｏｖｅｒ）ように動作可能であるユーザ装備（１０２）装置によって、ネットワーク選択における規制順守を提供するために開示される。ネットワークノード（５０４）からネットワーク識別コードを受信する上で、ネットワーク識別コードによって識別されるネットワークが、ＵＥ装置（１０２）と関連する加入者識別に関する同等のホームネットワークであるかどうかの決定（４０４）がなされる。そうである場合、ネットワークスキャンは、加入者識別に関連するホームの国に特定されたスキャン手順に従って、ＵＥ装置（１０２）によって実行される（４０８）。さもなければ、ネットワークスキャンは、ネットワーク識別コードにおいて識別された外国の地理的領域に特定されたスキャン手順にしたがったＵＥ装置（１０２）によって実行される（４１４）。
【発明を実施するための最良の形態】
【００２１】
本発明の開示の実施形態の完全な理解は、添付された図面とともに、以下の詳細な記載を参照することによって達成され得る。
本発明の開示のシステムおよび方法は、実施形態が最良に実施され、利用され得るかの方法の様々な例に関して記載される。類似する参照番号は、本記載および図面のいくつかにわたって、同一の、または対応する部分を示すために利用される。図面を参照し、特に図１を参照して表されているのは、例示的な、一般的ネットワーク環境１００であり、本発明の開示の実施形態が実施され得る。ユーザ装備（ＵＥ）装置１０２は、任意のポータブルコンピュータ（たとえば、ラップトップ、パームトップ、手持ちサイズのコンピュータ装置など）、モバイル通信装置（たとえば、携帯電話または、メッセージの送受信やウェッブ閲覧などを可能にする、データ通信可能な手持ちサイズの装置など）、または、好ましくは一つ以上の動作モードにおいて、および多数の周波数帯域において動作可能である、任意の高度な携帯情報端末（ＰＤＡ）機器または、ｅメール、ビデオメール、インターネットアクセス、企業データアクセス、メッセージング、カレンダー操作およびスケジューリングなどの情報管理をすることが可能な統合された情報電気機器などを含み得る。たとえば、ＵＥ装置１０２は、携帯電話帯域周波数および無線ＬＡＮ（ＷＬＡＮ）帯域において動作し得る。さらに、ＵＥ装置１０２が無線で動作可能である他の帯域は、Ｗｉ−Ｍａｘ帯域、または一つ以上のサテライト帯域を含み得る。図において、ネットワーク環境１００はＵＥ装置１０２にサービスを提供することが可能な、通信スペースの二つの広いカテゴリからなり、パブリック陸上移動通信網（ＰＬＭＮ）は、ここにおいて教示されるものに従い、達成され得る。広域セルラーネットワーク（ＷＡＣＮ）スペース１０４において、パケット交換データサービスを含み得る、または、含み得ないセルラーサービスを提供するように動作可能である、任意の多数のＰＬＭＮが存在し得る。カバーする領域および、ユーザがローミングするかどうかに依存して、ＷＡＣＮスペース１０４は、多数のホームネットワーク１１０（たとえば、ホームＰＬＭＮかホームＨＰＬＭＮ、または同等のＨＰＬＭＮかＥＨＰＬＭＮなど）、滞在先のネットワーク（たとえば、ＶＰＬＭＮ）１１２、位置情報（ＨＬＲ）ノード１１５、移動通信交換局（ＭＳＣ）ノード１１６などの適切なインフラストラクチャなどを有するそれぞれのネットワークを含み得る。ＷＡＣＮスペース１０４はまた、グローバル移動体通信システム（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）ベースの搬送ネットワークのセルラーインフラストラクチャを用いたモバイル装置のためのパケット無線アクセスを提供する汎用パケット無線システム（ＧＰＲＳ：Ｇｅｎｅｒａｌ  Ｐａｃｋｅｔ  Ｒａｄｉｏ  Ｓｅｒｖｉｃｅ）を含み得るゆえ、Ｓｅｒｖｉｎｇ  ＧＰＲＳ  Ｓｕｐｐｏｒｔ  Ｎｏｄｅ（ＳＧＳＮ）１１４は例示される。付け加えて、一般的には、ＷＡＣＮスペース１０４のＰＬＭＮは、進化型高速データレート展開（ＥＤＧＥ：Ｅｎｈａｎｃｅｄ  Ｄａｔａ  Ｒａｔｅｓ  ｆｏｒ  ＧＳＭ  Ｅｖｏｌｕｔｉｏｎ）ネットワーク、Ｉｎｔｅｇｒａｔｅｄ  Ｄｉｇｉｔａｌ  Ｅｎｈａｎｃｅｄ  Ｎｅｔｗｏｒｋ（ＩＤＥＮ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）ネットワーク、時分割多元接続（ＴＤＭＡ：Ｔｉｍｅ  Ｄｉｖｉｓｉｏｎ  Ｍｕｌｔｉｐｌｅ  Ａｃｃｅｓｓ）ネットワーク、ユニバーサル移動体通信システム（ＵＭＴＳ）ネットワーク、または、任意の第三世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）規格ネットワーク（たとえば、３ＧＰＰまたは３ＧＰＰ２）などからなる一群から選択されたネットワークを含み得、すべては、既知の周波数帯域およびプロトコルを用いて動作する。
【００２２】
さらに、ＵＥ装置１０２は、ＷＡＣＮスペース１０４へ接続されるアクセスネットワーク（ＡＮ）スペース１０６から、サービスを得るよう動作可能である。一実施において、ＡＮスペース１０６は、一つ以上の一般的なアクセスネットワーク（ＧＡＮ）、および無線ＬＡＮ（ＷＬＡＮ）配置１２０の任意のタイプを含み、その両方は、ＵＥ装置１０２と、ブロードバンドインターネットプロトコル（ＩＰ）ベースのネットワークを用いたＰＬＭＮコアネットワークとの間の、アクセスサービスを提供するよう動作可能である、任意のＡＮとして一般化され得る。ＷＬＡＮ配置１２０は、アクセスポイント（ＡＰ）または「ホットスポット」を介して、ＵＥ装置１０２への狭域無線接続を提供し、たとえば、ＩＥＥＥ  ８０２．１１ｂ、ＩＥＥＥ  ８０２．１１ａ、ＩＥＥＥ  ８０２．１１ｇ、ＨｉｐｅｒＬａｎ、ＨｉｐｅｒＬａｎ  ＩＩ規格、Ｗｉ−Ｍａｘ規格、ＯｐｅｎＡｉｒ規格、および、Ｂｌｕｅｔｏｏｔｈ規格、などのさまざまな規格を用いて実施され得る。
【００２３】
一実施形態において、ＷＡＣＮとＡＮスペースとのインターフェースは、特定の規格に従い、達成され得る。たとえば、ＧＡＮ１１８は、３ＧＰＰ  ＴＲ  ４３．９０１および３ＧＰＰ  ＴＳ  ４３．ｘｘｘのドキュメント、および関連するドキュメンテーションにおける手順を用いて、一つ以上のＰＬＭＮとインターフェースされ得る。同様に、ＷＬＡＮ１２０は、３ＧＰＰ  ＴＳ  ２２．２３４、３ＧＰＰ  ＴＳ  ２３．２３４および３ＧＰＰ  ＴＳ  ２４．２３４ドキュメント、および関連するドキュメンテーションにおける手順を用いて、少なくとも一つのＰＬＭＮコアとインターフェースし得、それゆえ、Ｉｎｔｅｒｗｏｒｋｉｎｇ  ＷＬＡＮ（Ｉ−ＷＬＡＮ）配置と呼ばれ得る。本発明の開示の目的のために、これらの規格は、適用可能な場合、援用される。
【００２４】
さらに、ネットワーク環境１００の任意の部分、ＷＡＣＮスペース１０４、ＡＮスペース１０６のいずれか、または両方は、ＵＥ装置の加入者に関連するホームの国またはホームの領域の外である位置領域を含み得ることは理解されたい。３ＧＰＰ  ＴＳ  ２３．１２２におけるように、ネットワークスキャン機能の二つのセットは、ＵＥ装置１０２のために定義される。ネットワークスキャン手順の第１のセットは、ＵＥ装置１０２が、そのホームの国またはホームの領域内に位置する場合、適用可能である。他方で、ネットワークスキャン手順の第２のセットは、ＵＥ装置１０２が、そのホームの国にない場合に提供される。したがって、その位置領域に依存し、ＥＨＰＬＭＮが外国において探し出された場合でさえも、ＵＥ装置１０２は、適切なスキャン手順を実行するよう、動作可能であり、以下においてさらに詳細に記載される。
【００２５】
本開示の教示を形式化するために、ここで図２を参照し、ネットワーク環境２００の例示的な実施形態は、図１において図示された、一般的なネットワーク環境１００のさらに具体的なサブセットを示す。そこで表されるように、無線ＵＥ装置１０２は、ＵＥ装置１０２とアクセス可能な一つ以上のＡＮとの接続を有することに付け加えて、従来の無線アクセスネットワーク（ＲＡＮ）インフラストラクチャを介してアクセスを可能にするＰＬＭＮのセットを探し出すために、動作できるよう配置される。例としては、ＡＮ−Ｎ  ２０２−Ｎを介してＡＮ−１  ２０２−１が、ＧＡＮ、ＷＬＡＮおよび／またはＩ−ＷＬＡＮ配置（既知または公知ではない）の任意のタイプを含み、本発明の開示の目的のためにここで一般化され、それは、ＵＥ装置によっていったん探し出された一つ以上のＰＬＭＮへアクセスを提供するように動作可能である。図示されるように、無線ＡＮは、一つ以上のＰＬＭＮへと接続をサポートし得るか、または、まったくサポートし得ず、それは、２０４−Ｍを介したＶＰＬＭＮ  ２０４−１、およびＨＰＬＭＮ（たとえば、ＨＰＬＭＮ２０６）、ならびに、ＵＥ装置１０２に関して一つ以上ＥＨＰＬＭＮ２０８を含み得る。ＡＮ−ＰＬＭＮ接続がサポートされる場合（特定のＡＮの背後のＰＬＭＮがＵＥ装置１０２に可視である）は、たとえば、ＡＮオペレータとＰＬＭＮオペレータとの間の契約の約定などの、多くの商業上の要因に依存し得る。図において、ＡＮ−１  ２０２−１は、ＶＰＬＭＮ−１  ２０４−１、ＶＰＬＭＮ−２、２０４−２、およびＥＨＰＬＭＮ２０８への接続をサポートする。同様に、ＡＮ−２  ２０２−１は、ＶＰＬＭＮ−Ｍ  ２０４−Ｍ、およびＨＰＬＭＮ２０６、ＥＨＰＬＭＮ２０８への接続をサポートする。他方で、ＡＮ−Ｎ  ２０２−Ｎは、広域ＰＬＭＮへの接続を有しない。さらに、無線ＡＮを介した様々なＰＬＭＮを探し出すことが可能であることに付け加えて、ＵＥ装置１０２はまた、直接にＰＬＭＮを探し出すための、セルラー帯域をスキャンするよう動作可能である。ＰＬＭＮがどのように探し出されるかに関係なく、いずれにせよ、ＶＰＬＭＮおよび／またはＥＨＰＬＭＮの一つ以上は、ＵＥ装置１０２のホームの国の外に位置され得る。
【００２６】
良く知られるように、広域セルラーＰＬＭＮのそれぞれは、多数のセルとして配置され得、それぞれのセルはセクター（たとえば、通常は、基地局（ＢＳ）またはセル毎の３つの１２０度セクターなど）を有する。それぞれ個々のセクターは、それらを識別するために、Ｃｅｌｌ  Ｇｌｏｂａｌ  Ｉｄｅｎｔｉｆｉｃａｔｉｏｎ（ＣＧＩ）パラメータを有し、提供される。一群のセルは通常、位置領域（Ｌｏｃａｔｉｏｎ  Ａｒｅａ（ＬＡ））として指定され、ＬＡ識別子（ＬＡＩ）によって識別され得る。マクロレベルでは、ＰＬＭＮは基礎的なセルラー技術にしたがって識別され得る。たとえば、ＧＳＭベースのＰＬＭＮは、モバイル国コード（Ｍｏｂｉｌｅ  Ｃｏｕｎｔｒｙ  Ｃｏｄｅ（ＭＣＣ））およびモバイルネットワークコード（Ｍｏｂｉｌｅ  Ｎｅｔｗｏｒｋ  Ｃｏｄｅ（ＭＮＣ））からなる識別子によって識別され得る。ＣＤＭＡ／ＴＤＭＡベースのＰＬＭＮは、システム識別（Ｓｙｓｔｅｍ  Ｉｄｅｎｔｉｆｉｃａｔｉｏｎ（ＳＩＤ））パラメータおよび／またはネットワーク識別（Ｎｅｔｗｏｒｋ  Ｉｄｅｎｔｉｆｉｃａｔｉｏｎ（ＮＩＤ））パラメータによって識別され得る。セルラーインフラストラクチャに関係なく、すべてのセルは、サービスを得たい無線装置（例えばＵＥ装置１０２）が無線ネットワークおよびその地理的な位置を識別することができるように、マクロレベルのＰＬＭＮ識別子（たとえば、ネットワーク識別コード）をブロードキャストする。
【００２７】
付け加えて、加入者はまた、基礎的なセルラーインフラストラクチャに依存して変化することができる独自の識別子を与えられ、ネットワーク識別子を構成する場合に使用される一部のパラメータから少なくとも部分的に構成され得る。たとえば、ＧＳＭにおいて、国際移動電話加入者識別番号（Ｉｎｔｅｒｎａｔｉｏｎａｌ  Ｍｏｂｉｌｅ  Ｓｕｂｓｃｒｉｂｅｒ  Ｉｄｅｎｔｉｔｙ（ＩＭＳＩ））パラメータは、加入者を独自に識別し、[ＭＣＣ]、[ＭＮＣ]、[ＭＩＮ]として構成され、[ＭＣＣ]は、加入者の国（たとえば、加入者のホームの国／地域）を識別し、[ＭＮＣ]は、ＰＬＭＮネットワークを識別し、[ＭＩＮ]はネットワーク内でのモバイルユニット（たとえば、ＵＥ無線装置）を識別する独自のＩＤである。一部の状況において、単一の国または地理的領域（たとえば北米）は、割り当てられる多数の国コード（たとえばＭＣＣ）を有し得るが、全体の領域は、同一のスキャン機能の要求（たとえば、通常のスキャン手順のセット）によって規制される。
【００２８】
例示のために、本発明の開示の実施形態は、ＧＳＭネットワークに関連し、特に例示されるが、ここでの教示は、他のセルラーネットワークにおいて準用され得ることも理解されたい。図３Ａから図３Ｃは、一実施形態に従い、ネットワーク選択および規制順守を容易にするためのＵＥ装置を提供し得る例示的なデータベースストラクチャを表す。参照数字３００Ａは、同一のネットワークであるとして識別され得る[ＭＣＣ]３０２Ａおよび[ＭＮＣ]３０２Ｂの組み合わせのリストを含む、基本的なデータベースストラクチャを示す。同等のネットワークの場合において、［ＭＣＣ］［ＭＮＣ］の組み合わせは、加入者に関連するＩＭＳＩのためのＥＨＰＬＭＮ（外国またはそれ以外）のセットを識別し得る。参照数字３０４、３０６、および３０８は、三つの例示的なネットワークを示し、そこで、ネットワーク３０４およびネットワーク３０６は、同一の［ＭＣＣ］、たとえば［ＡＢＣ］、を共有し、ならびに、ネットワーク３０４およびネットワーク３０８は同一の［ＭＮＣ］（たとえば、［ＸＹＺ］）を共有する。一つの例示的な実施形態において、データストラクチャ３００Ａは、無線ＵＥ装置と動作可能である、加入者識別モジュール（Ｓｕｂｓｃｒｉｂｅｒ  Ｉｄｅｎｔｉｔｙ  Ｍｏｄｕｌｅ（ＳＩＭ））カードまたは、リムーバブルユーザ識別モジュール（Ｒｅｍｏｖａｂｌｅ  Ｕｓｅｒ  Ｉｄｅｎｔｉｔｙ  Ｍｏｄｕｌｅ（ＲＵＩＭ））カード上の、基本ファイル（ＥＦ）ストラクチャとして格納され得る。他の実施形態において、データストラクチャ３００Ａは、無線ＵＥ装置と一体化されるメモリモジュールに格納され得る。
【００２９】
参照数字３００Ｂは、追加的な情報がネットワーク選択を容易にするために提供され得る、強化型データベースストラクチャを示す。マスター［ＭＣＣ］［ＭＮＣ］列３２０は、ＩＭＳＩの［ＭＣＣ］／［ＭＮＣ］部分（たとえば、マスターホーム（Ｍａｓｔｅｒ  Ｈｏｍｅ）  ＰＬＭＮ）と合致する、［ＭＣＣ］と［ＭＮＣ］との組み合わせを識別する。ネットワークネーム列３２２は、名前によって主ネットワークを識別する。ホームネットワーク（ＥＨＰＬＭＮ）列３２４は、Ｍａｓｔｅｒ［ＭＣＣ］［ＭＮＣ］の対のそれぞれのためのホームネットワークのリストを含む。一実施において、ホームネットワークを識別する［ＭＣＣ］［ＭＮＣ］の組み合わせは、優先順位において提供され得る。たとえば、位置的な優先は、一番上である［ＭＣＣ］［ＭＮＣ］の組み合わせが、その下のものよりも、より高い優先順位を有する場合、または、一番左である［ＭＣＣ］［ＭＮＣ］の組み合わせが、その右のものよりも、より高い優先順位を有する場合、に実施され得る。明示的な優先順位のランク付けはまた、ＰＬＭＮの優先順位を示す指示が、データベースストラクチャ３００Ｂに加えられる場合に提供され得る。たとえば、［０］の値は最も高い優先順位を示し得る。格納された優先順位指示が存在しない場合、すべてのＰＬＭＮは等しい優先順位を有する。付け加えて、図３Ｂには示されていないが、印列はまた、ホームネットワークリスト３２４にリストされたそれぞれのＰＬＭＮを独自に識別するために提供され得、その印は、マスター（Ｍａｓｔｅｒ）［ＭＣＣ］［ＭＮＣ］の対またはそれに関連するネットワークネームへの一部の参照を含み得る、独自の識別ネームを含み得る。
【００３０】
図３Ｃを参照し、データストラクチャ３００Ｃは、様々な地理的要素３５０（たとえば、個々の国および、北米やヨーロッパ経済共同体などの超国家的な地理的領域）と、それに関連する地理的領域コード３５２との間の対応関係を含む。好ましい例示的な実施形態において、領域／国はそれに割り当てられる多数の国コードを有し、それらのコードは、それらのすべてが単一の地理的要素に関連されるか、そうでなければ対応されるように格納され、典型的には、通常のモバイル通信規制制度のもとで動作する。この配置は、ＰＬＭＮの国コードを調べる場合に、それがどの国からサービスを受信しているのかを決定することを無線ＵＥ装置にさせることは、当業者に理解されている。例として、３１０から３１６の、７つの［ＭＣＣ］の値があり、北米３５４に割り当てられている。他の例示的な要素である、単一の国ＡＢＣＤ３５６はまた、たとえば１２３から１２５の、複数の［ＭＣＣ］の値を提供され得る。他の例においては、地理的要素ＥＦＧＨ３５８は、たとえば５１０で、単一の［ＭＣＣ］に割り当てられる。以前に指摘したように、データストラクチャ３００Ｃは、無線ＵＥ装置と一体化された格納モジュールの一部として提供され得る。
【００３１】
一実施において、無線ＵＥ装置は、電源が供給されると、ＵＥ装置に挿入されているＳＩＭ／ＲＵＩＭカードの能力を決定するよう動作可能である。無線装置は、ＳＩＭ／ＲＵＩＭカードがＥＨＰＬＭＮのリストを含んでいることを探し出した場合、その装置は、それに続くネットワーク選択動作のためのリストを使用する。ＳＩＭ／ＲＵＩＭカードがＰＬＭＮのリストを含んでいない場合、無線装置は、加入者のＩＭＳＩを読み出すように動作可能である。その後、ＩＭＳＩの［ＭＣＣ］［ＭＮＣ］の対のメモリにおいて、格納されたホームネットワークリストを提供された場合、その格納されたＰＬＭＮデータベースは、次いで、特定のＩＭＳＩと関連するＨＰＬＭＮのリストを見出すために使用され得る。別の方法では、無線ＵＥ装置は、現在特定されているように、ネットワーク発見手順を実行するように動作可能である。
【００３２】
図４は、ネットワーク選択方法の実施形態のフローチャートを表し、外国も含まれ得る。図示されるように、無線ＵＥ装置は、その装置が配置される位置領域において、すべての利用可能なＰＬＭＮを探し出すことを、広帯域スキャン手順でサポートするために、一つ以上の周波数帯域において、スキャンするよう動作可能である。ネットワークノード（ブロック４０２）からネットワーク識別コードを受信する上で、ネットワークが、ＵＥ装置（ブロック４０４）と関連する加入者識別に関して、同等のホームネットワーク（たとえば、ＥＨＰＬＭＮ）であるかどうかの、決定がなされる。好ましくは、この決定は、上で詳述したように、ＭＣＣの格納されたリストを調べるための適切なＵＥ装置ロジックによって実行され得る。その探し出されたネットワークがホームネットワークまたはそれと同等のものではない場合、ＵＥ装置は次いで、従来の方法（ブロック４１２）において適合可能なネットワーク手順を用いて進み得る。他方で、探し出されたネットワークが
ＥＨＰＬＭＮである場合、ネットワークが、その加入者識別（たとえばＩＭＳＩ）が由来する領域と同じ国／地理的領域において見出される場合、さらなる決定がなされる（ブロック４０６）。この決定は、ネットワーク識別コード（たとえば、［ＭＣＣ、ＭＮＣ］の組み合わせの［ＭＣＣ］など）の地理的コード部を調べ、および、それをＩＭＳＩの［ＭＣＣ］と相互に関連付けることによって、実行され得る。同等のホームネットワークの［ＭＣＣ］が、ＩＭＳＩの領域と同じ地理的領域において見出される場合、次いで、ＵＥ装置は、加入者識別のホーム国に特定されるスキャン手順に従ったネットワークスキャンを実行するように動作可能である（ブロック４０８）。その後、ＵＥ装置は、従来の方法において、ネットワーク登録を続ける（ブロック４１０）。別の方法では、同等のホームネットワークの［ＭＣＣ］が、ＩＭＳＩのホーム国とは異なる地理的領域において見出される場合（たとえば、外国の地理的領域など）、ＵＥ装置は、受信されたネットワーク識別コードにおいて識別されるように、外国に／外国の領域に特定されるスキャン手順に従ったネットワークスキャンを実行するように動作可能である（ブロック４１４）。外国におけるスキャン手順が、ＰＬＭＮとの首尾良い接続を確立できなかった場合（ブロック４１６）、ＵＥは、たとえそれが外国に位置されている場合でさえも、そのホーム国に特定されるスキャン手順へと立ち戻り得る。別の方法では、従来の方法において、外国のＰＬＭＮを継続し得る（ブロック４１８）。
【００３３】
さらなる変形として、ＰＬＭＮの一部（ホームか外国のいずれか）は、ＩＥＥＥ  ８０２．１１ｂ規格、ＩＥＥＥ  ８０２．１１ａ規格、ＩＥＥＥ  ８０２．１１ｇ規格、ＨｉｐｅｒＬａｎ規格、  ＨｉｐｅｒＬａｎ  ＩＩ規格、Ｗｉ−Ｍａｘ規格、ＯｐｅｎＡｉｒ規格、および、Ｂｌｕｅｔｏｏｔｈ規格からなる一群から選択されたＷＬＡＮ規格に対応する周波数帯域において達成される、適切な無線ＡＮスキャンプロセスを介して、ＵＥによって探し出され得る。例において、ＵＥがデュアルモード可能であり、ＵＥがＰＬＭＮを見出す場合、それ以上のＰＬＭＮが見出されなくなり得るまで、メモリ、またはユーザに関連するＳＩＭ／ＲＵＩＭカードにおいて、ネットワーク識別（たとえば、［ＭＣＣ］［ＭＮＣ］の組み合わせ）を格納する。さらなる変形において、すべての探し出されたＰＬＭＮの、［ＭＣＣ］［ＭＮＣ］の組み合わせを格納することに付け加えて、ＵＥは、特定のＰＬＭＮがＧＰＲＳ可能であるのかそうでないのかということも格納可能であり、そのような能力は、ＰＬＭＮインフラストラクチャからブロードキャストされ得る。ＵＥは、現在の３ＧＰＰ  ＴＳ  ２３．２３４および３ＧＰＰ  ＴＳ  ２４．２３４の仕様（ここに援用される）において定義されるように、ＷＬＡＮのためのネットワーク発見手順を実行するよう動作可能である。Ｓｅｒｖｉｃｅ  Ｓｅｔ  ＩＤ（ＳＳＩＤ）がＨＰＬＭＮであることをＷＬＡＮが見出す場合、ＵＥは、Ｒｏｏｔ  Ｎｅｔｗｏｒｋ  Ａｃｃｅｓｓ  Ｉｄｅｎｔｉｆｉｅｒ（ＮＡＩ）を用いたそのＷＬＡＮを承認する。別の方法では、ＵＥは、３ＧＰＰ  ＴＳ  ２３．２３４および３ＧＰＰ  ＴＳ  ２４．２３４の仕様において特定されるように、ネットワーク発見を実行する。さらなる変形において、ＷＬＡＮアクセスのための３ＧＰＰ仕様において定義されたＳＳＩＤリストに付け加えて、ＵＥがＰＬＭＮアクセスをサポートするＷＬＡＮに気付いているだけでなく、ネットワーク選択をスピードアップさせ、ユーザ経験を最適化／カスタマイズするメカニズムが提供されるように、特別なＳＳＩＤ／ＰＬＭＮリストおよび関連するフィルタ基準が格納され得る。図において、以下のリストが定義され得る。
【００３４】
−  ＷＬＡＮアクセスのオペレータ制御の好ましいＳＳＩＤ
−  ＷＬＡＮアクセスのユーザ制御のＳＳＩＤ
−  ＷＬＡＮアクセスの禁止されたＳＳＩＤ
−  ＷＬＡＮアクセスのオペレータ制御の好ましいＰＬＭＮ
−  ＷＬＡＮアクセスのユーザ制御のＰＬＭＮ
−  ＷＬＡＮアクセスの禁止されたＰＬＭＮ
ＳＳＩＤおよびＰＬＭＮの優先順位は、そのリストにおける位置によって決定される。
【００３５】
図５は、上記の方法に関連する例示的なメッセージフロー図を表す。ネットワークノード５０４は、エアーインターフェースにわたる、関連する制御チャンネルを介して情報をブロードキャストするように動作可能である。本発明の開示の教示に従い、ネットワークノード５０４は、特定のセルラーネットワークにおいて配置されたＢａｓｅ  Ｔｒａｎｓｃｅｉｖｅｒ  Ｓｔａｔｉｏｎ（ＢＴＳ）ノードを含み得る。参照数字５０６−１から５０６−Ｎは、指定された反復レートでの、ネットワークノード５０４によってブロードキャストされる制御チャンネルメッセージを示す。一実施において、ブロードキャスト情報は、他の情報のタイプの中でも、ネットワーク識別情報、能力情報、隣接セル情報を含み得る。アイドルモードにおいて、ＵＥ１０２は、エアーインターフェース５０２にわたる、ブロードキャスト情報を読み出し、受信された国および格納されたデータベースストラクチャとの相互関連に基づく、適用可能なスキャン手順（ブロック５１０）を決定するように、動作可能である。適用可能な規制要求に従い、適切な手順を決定する上で、ＵＥ１０２は、ネットワークノード５０４を用いた登録５１２を達成することができる。
【００３６】
ネットワークノード５０４はＰＬＭＮノードとして例示されているが、ネットワークノードとしてＷＬＡＮノードを提供することは、本開示の範囲内であることは、当業者によって理解されるべきであり、適切なスキャン選択手順と規制順守手順は実行され得る。
【００３７】
図６は、本発明の開示の教示に従い、ネットワークおよびスキャン選択手順を実行するように動作可能である、ＵＥ無線装置６００の一実施形態のブロック図を表す。ここでの参照により、当業者にとって明らかなように、上記したＵＥ装置１０２の一実施形態は、図６において示されたものと類似した配置を含み得るが、表された様々なモジュールに関連して、ハードウェア、ソフトウェア、またはファームウェアにおける多数の変形および修正が可能であり得る。したがって、図６の配置は、本発明の開示の実施形態に関連して、限定を加えるものというよりは、むしろ例示のために示されているというべきである。ＵＥ６００の全体の制御のために提供されるマイクロプロセッサ６０２は、複数の帯域を介してマルチモード通信を達成するための送信器／受信器（トランシーバ）機能を含む、通信サブシステム６０４と動作可能なように結合される。例として、広域無線Ｔｘ／Ｒｘモジュール６０６および無線ＡＮＴｘ／Ｒｘモジュール６０８が図示される。特に図に示されてはいないが、それぞれのＴｘ／Ｒｘは、一つ以上の、局部発振器（ＬＯ）モジュール、ＲＦスイッチ、ＲＦ帯域通過フィルタ、Ａ／Ｄ変換器、Ｄ／Ａ変換器、デジタル信号プロセッサ（ＤＳＰ）などのような処理モジュール、ローカルメモリなどの、他の関連する構成要素を含み得る。通信分野の当業者に明らかであるように、通信サブシステム６０４の特定のデザインは、ＵＥ装置が動作するように意図される通信環境に依存し得る。一実施形態において、通信サブシステム６０４は、音声通信およびデータ通信の両方を用いて、動作可能である。
【００３８】
マイクロプロセッサ６０２はまた、補助入力／出力（Ｉ／Ｏ）６１８、シリアルポート６２０、ディスプレイ６２２、キーボード６２４、スピーカ６２６、マイクロフォン６２８、ランダムアクセスメモリ（ＲＡＭ）６３０、短距離通信サブシステム６３２、および、一般に参照数字６３３としてラベルされた他の任意の装置サブシステムなどの、さらなる装置サブシステムとインターフェースする。アクセスを制御するために、ＳＩＭ／ＲＵＩＭインターフェース６３４はまた、マイクロプロセッサ６０２との通信において提供される。一実施において、ＳＩＭ／ＲＵＩＭインターフェース６３４は、識別データおよび加入者に関連するデータ、ならびに、上で詳述された、一つ以上のＳＳＩＤ／ＰＬＭＮリストおよびフィルタなどのような、多数のキー構成６４４および他の情報６４６を有するＳＩＭ／ＲＵＩＭカードと動作可能である。
【００３９】
オペレーティングシステムソフトウェアおよび他の制御ソフトウェアは、フラッシュメモリ６３５などのような、持続性記憶モジュール（たとえば、不揮発性記憶装置）において実施され得る。一実施において、フラッシュメモリ６３５は、たとえば、コンピュータプログラム６３６のための格納領域、ならびに、装置状態６３７、アドレス帳６３９、他の個人情報管理（ＰＩＭ）データ６４１、および参照数字６４３として一般にラベルされる他のデータ格納領域などのようなデータ格納領域の、二つの異なる領域へと分離され得る。付け加えて、適切なネットワーク発見およびスキャン選択ロジック６４０は、先行部において、様々なスキャン選択手順、相互関連技術、および関連するメカニズムを実行するための持続性記憶装置の部分として提供され得る。ＳＳＩＤ／ＰＬＭＮリスト、国／地理コード、選択／スキャンフィルタ、能力指示器などを格納するための記憶モジュール６３８もまた、それらとともに関連され、上で詳述された。
【００４０】
本特許出願の実施形態における動作および構築は、上での詳細な記載から明らかであると考えられる。図示および記載された例示的な実施形態が好ましいものとして特徴付けられ得る一方で、様々な変化および修正は、上記の請求項におけるように、本発明の範囲から逸れることなく、なされ得るものであることは十分に理解されるべきである。
【図面の簡単な説明】
【００４１】
【図１】一般的なネットワーク環境を表し、本発明の開示の一実施形態が実施され得る。
【図２】本発明の開示の教示に従い、無線ＵＥ装置が、ネットワーク発見および選択のために動作可能なように配置されている、ネットワーク環境の例示的な実施形態を表す。
【図３Ａ】図３Ａは、本発明の開示の教示に従い、ＵＥ装置を提供され得る例示的なデータベースストラクチャを表す。
【図３Ｂ】図３Ｂは、本発明の開示の教示に従い、ＵＥ装置を提供され得る例示的なデータベースストラクチャを表す。
【図３Ｃ】図３Ｃは、本発明の開示の教示に従い、ＵＥ装置を提供され得る例示的なデータベースストラクチャを表す。
【図４】ネットワーク選択方法の一実施形態のフローチャートを表す。
【図５】本発明の開示の例示的なメッセージフロー図を表す。
【図６】本発明の開示の教示に従い、ネットワーク選択手順を実行するように動作可能であるＵＥ無線装置の一実施形態のブロック図を表す。
【符号の説明】
【００４２】
１０２        ユーザ装備（ＵＥ）
５０４        ネットワークノード
６００        ＵＥ無線装置
６０４        通信サブシステム
６０６        広域無線Ｔｘ／Ｒｘ（トランシーバ）モジュール
６０８        ＡＮＴｘ／Ｒｘ（トランシーバ）モジュール
６４０        ネットワーク発見／選択ロジック（ロジックモジュール）
【図１】
2006197603.tif 000003
【図２】
2006197603.tif 000004
【図３Ａ】
2006197603.tif 000005
【図３Ｂ】
2006197603.tif 000006
【図３Ｃ】
2006197603.tif 000007
【図４】
2006197603.tif 000008
【図５】
2006197603.tif 000009
【図６】
2006197603.tif 000010